(57)【要約】【課題】安価に高い表示品位を実現することができる電気光学装置の駆動回路及び電気光学装置、並びに当該回路又は装置を備える電子機器を提供する。【解決手段】電気光学装置１は、複数行の走査線Ｙ１〜Ｙｎを所定の順番で選択して走査信号を印加する走査線主駆動回路４０と、走査線Ｙ１〜Ｙｎの各々に設けられて走査線主駆動回路４０によって走査線Ｙ１〜Ｙｎのうちの一の走査線が選択される前後に選択される他の走査線に印加される走査信号によって動作し、走査線主駆動回路４０によって一の走査線が選択されて走査信号が印加される期間に、走査信号を整形するための補助信号を一の走査線に印加する走査線補助駆動回路５０とを備える。【選択図】図１
2010224438.tif 000002
【特許請求の範囲】
【請求項１】
複数行の走査線と、複数列のデータ線と、当該走査線とデータ線との交差位置の各々に対応して設けられた複数の画素とを備える電気光学装置を駆動する電気光学装置の駆動回路であって、
前記複数行の走査線の少なくとも一端側に設けられ、前記複数行の走査線を所定の順番で選択して走査信号を印加する走査線主駆動回路と、
前記複数行の走査線の一端側及び他端側の少なくとも一方に設けられ、前記走査線主駆動回路によって前記複数行の走査線のうちの一の走査線が選択される前後に選択される他の走査線に印加される走査信号によって動作し、前記走査線主駆動回路によって前記一の走査線が選択されて前記走査信号が印加される期間に、前記走査信号を整形するための補助信号を前記一の走査線に印加する走査線補助駆動回路と
を備えることを特徴とする電気光学装置の駆動回路。
【請求項２】
前記走査線補助駆動回路は、前記補助信号を供給する補助信号供給線と、
前記一の走査線と前記補助信号供給線とを接続又は開放する第１トランジスターと、
前記第１トランジスターのオン状態を維持するための容量成分と、
前記一の走査線が選択される前に選択される他の走査線に印加される走査信号に基づいて、前記第１トランジスターをオン状態に設定するとともに前記容量成分を充電する電圧を供給するための第２トランジスターと、
前記一の走査線が選択された後に選択される他の走査線に印加される走査信号に基づいて前記容量成分を放電して前記第１トランジスターをオフ状態にするための第３トランジスターと
を備えることを特徴とする請求項１記載の電気光学装置の駆動回路。
【請求項３】
前記容量成分は、前記第１トランジスターとは別に設けられたコンデンサー素子で実現されることを特徴とする請求項２記載の電気光学装置の駆動回路。
【請求項４】
前記容量成分は、前記第１トランジスターが有する寄生容量で実現されることを特徴とする請求項２記載の電気光学装置の駆動回路。
【請求項５】
前記第１，第２，第３トランジスター及び前記容量成分は、前記複数行の走査線に対してそれぞれ設けられることを特徴とする請求項２から請求項４の何れか一項に記載の電気光学装置の駆動回路。
【請求項６】
前記補助信号供給線は、前記第１トランジスターを介して前記複数行の走査線のうちの奇数番目の走査線に接続され、前記複数行の走査線が選択される周期の２倍の周期で電圧が変動する第１補助信号を供給する第１補助信号供給線と、
前記第１トランジスターを介して前記複数行の走査線のうちの偶数番目の走査線に接続され、電圧が前記第１補助信号とは相補的に変動する第２補助信号を供給する第２補助信号供給線と
からなることを特徴とする請求項５記載の電気光学装置の駆動回路。
【請求項７】
前記第２トランジスターは、ダイオード接続されたトランジスターであることを特徴とする請求項２から請求項６の何れか一項に記載の電気光学装置の駆動回路。
【請求項８】
前記第３トランジスターは、前記容量成分の電極間を短絡又は開放するように前記容量成分に対して接続されていることを特徴とする請求項２から請求項７の何れか一項に記載の電気光学装置の駆動回路。
【請求項９】
前記第２トランジスターに接続されて、前記第１トランジスターをオン状態に設定するとともに前記容量成分を充電するための電圧を供給する第１電圧供給線と、
前記第３トランジスターに接続されて、前記容量成分を放電して前記第１トランジスターをオフ状態にするための電圧を供給する第２電圧供給線と
を備えることを特徴とする請求項６記載の電気光学装置の駆動回路。
【請求項１０】
前記第１，第２，第３トランジスター及び前記容量成分は、前記電気光学装置に形成されていることを特徴とする請求項１から請求項９の何れか一項に記載の電気光学装置の駆動回路。
【請求項１１】
複数行の走査線と、複数列のデータ線と、当該走査線とデータ線との交差位置の各々に対応して設けられた複数の画素とを備える電気光学装置において、
前記複数行の走査線の少なくとも一端側に設けられ、前記複数行の走査線を所定の順番で選択して走査信号を印加する走査線主駆動回路と、
前記複数行の走査線の一端側及び他端側の少なくとも一方に設けられ、前記走査線主駆動回路によって前記複数行の走査線のうちの一の走査線が選択される前後に選択される他の走査線に印加される走査信号によって動作し、前記走査線主駆動回路によって前記一の走査線が選択されて前記走査信号が印加される期間に、前記走査信号を整形するための補助信号を前記一の走査線に印加する走査線補助駆動回路と
を備えることを特徴とする電気光学装置。
【請求項１２】
請求項１１記載の電気光学装置を備えることを特徴とする電子機器。
【発明の詳細な説明】
【技術分野】
【０００１】
本発明は、電気光学装置の駆動回路、電気光学装置、及び電子機器に関する。
【背景技術】
【０００２】
液晶装置等の電気光学装置は、複数行の走査線と、複数列のデータ線と、これら走査線とデータ線とが交差する位置の各々に対応して設けられた複数の画素とを備えており、選択した走査線に対応する画素の各々に対して各画素の階調に応じたデータ信号をデータ線を介して供給することで各画素の光学的状態を変化させるものである。従来の電気光学装置は、走査線を駆動する走査線駆動回路を走査線の何れか一方の端部にのみ設け、走査線を片側から駆動する片側駆動のものが殆どであった。
【０００３】
しかしながら、走査線は少なからず抵抗及び寄生容量を有するため、走査線を片側駆動する場合には、走査線駆動回路が設けられた端部（駆動端）から走査線駆動回路が設けらていない端部（終端）に向けて走査線を介する信号の波形が鈍る。このため、各々の画素の明るさが少しずつ異なり、或いはクロストークが生じて表示品位が低下する。以下の特許文献１には、走査線の両端に走査線駆動回路を設け、走査線を両側から駆動することにより表示品質の向上を図った両側駆動の電気光学装置が開示されている。
【０００４】
また、以下の特許文献２には、両側駆動の電気光学装置の低コスト化及び小型化を実現する技術が開示されている。具体的に、この特許文献２では、走査線を駆動する走査線主駆動回路を走査線の一方の端部に設けるとともに、走査線主駆動回路による選択電圧（走査線を選択する電圧）の印加時に走査線を選択電圧の給電線に接続する走査線補助駆動回路を走査線の他方の端部にそれぞれ設けることにより、波形鈍りを整形している。
【先行技術文献】
【特許文献】
【０００５】
【特許文献１】特開平１１−２９５６９６号公報
【特許文献２】特開２００６−１６２８２８号公報
【発明の概要】
【発明が解決しようとする課題】
【０００６】
ところで、近年においては、電気光学装置のコスト低減が要求されており、電気光学装置を極力安価に製造する必要がある。特に、携帯型の電子機器に搭載される小型の電気光学装置はコストの低減要求が厳しい。電気光学装置の表示品位を全く考慮せずに回路を極力単純化すればコスト低減を図ることはできる。しかしながら、表示品位はある程度高いレベルを維持する必要があるため、単純に回路を単純化すれば良いという訳ではない。
【０００７】
上記特許文献２に開示された技術を用いれば、ある程度高いレベルの表示品質を維持しつつ電気光学装置のコス低減を実現することができると考えられる。しかしながら、特許文献２に開示された技術においては、微分回路、論理回路、並びにｎチャネル型トランジスター及びｐチャネル型トランジスターを用いて走査線補助駆動回路を構成しており、コスト低減を図るための更なる改善の余地があると考えられる。
【０００８】
本発明は上記事情に鑑みてなされたものであり、安価に高い表示品位を実現することができる電気光学装置の駆動回路及び電気光学装置、並びに当該回路又は装置を備える電子機器を提供することを目的とする。
【課題を解決するための手段】
【０００９】
上記課題を解決するために、本発明の電気光学装置の駆動回路は、複数行の走査線と、複数列のデータ線と、当該走査線とデータ線との交差位置の各々に対応して設けられた複数の画素とを備える電気光学装置を駆動する電気光学装置の駆動回路であって、前記複数行の走査線の少なくとも一端側に設けられ、前記複数行の走査線を所定の順番で選択して走査信号を印加する走査線主駆動回路と、前記複数行の走査線の一端側及び他端側の少なくとも一方に設けられ、前記走査線主駆動回路によって前記複数行の走査線のうちの一の走査線が選択される前後に選択される他の走査線に印加される走査信号によって動作し、前記走査線主駆動回路によって前記一の走査線が選択されて前記走査信号が印加される期間に、前記走査信号を整形するための補助信号を前記一の走査線に印加する走査線補助駆動回路とを備えることを特徴としている。
この発明によると、走査線主駆動回路によって複数行の走査線のうちの一の走査線に対して走査信号が印加されると、上記の一の走査線が選択される前後に選択される他の走査線に印加される走査信号によって動作する走査線補助駆動回路によって、走査信号を整形するための補助信号が上記の一の走査線に印加される。これにより、画素の明るさのばらつきやクロストークの発生が防止され、高い表示品位を実現することができる。また、走査線補助駆動回路は、一の走査線が選択される前後に選択される他の走査線に印加される走査信号によって動作するため、上記の高い表示品位を安価に実現することができる。
また、本発明の電気光学装置の駆動回路は、前記走査線補助駆動回路が、前記補助信号を供給する補助信号供給線と、前記一の走査線と前記補助信号供給線とを接続又は開放する第１トランジスターと、前記第１トランジスターのオン状態を維持するための容量成分と、前記一の走査線が選択される前に選択される他の走査線に印加される走査信号に基づいて、前記第１トランジスターをオン状態に設定するとともに前記容量成分を充電する電圧を供給するための第２トランジスターと、前記一の走査線が選択された後に選択される他の走査線に印加される走査信号に基づいて前記容量成分を放電して前記第１トランジスターをオフ状態にするための第３トランジスターとを備えることを特徴としている。
この発明によると、走査線補助駆動回路が第１〜第３トランジスター及び容量成分からなる単純な構成であり、微分回路や論理回路等の回路が不要であるため、電気光学装置をより安価に提供することができる。
ここで、本発明の電気光学装置の駆動回路は、前記容量成分が、前記第１トランジスターとは別に設けられたコンデンサー素子で実現されることを特徴としている。
或いは、本発明の電気光学装置の駆動回路は、前記容量成分が、前記第１トランジスターが有する寄生容量で実現されることを特徴としている。
これらの発明によると、走査線補助駆動回路に設けられる容量成分が第１トランジスターとは別に設けられたコンデンサー素子、又は１トランジスターが有する寄生容量で実現されるため、必要に応じてコンデンサー素子を形成するか否かを選択することができる。コンデンサー素子を形成しない場合には、走査線補助駆動回路は第１〜第３トランジスターのみで実現されるため、例えば画素にＴＦＴ等のトランジスター素子が設けられる場合には、これらを同じプロセスで形成することができ、電気光学装置の製造コストを低減することができる。
また、本発明の電気光学装置の駆動回路は、前記第１，第２，第３トランジスター及び前記容量成分が、前記複数行の走査線に対してそれぞれ設けられることを特徴としている。
また、本発明の電気光学装置の駆動回路は、前記補助信号供給線が、前記第１トランジスターを介して前記複数行の走査線のうちの奇数番目の走査線に接続され、前記複数行の走査線が選択される周期の２倍の周期で電圧が変動する第１補助信号を供給する第１補助信号供給線と、前記第１トランジスターを介して前記複数行の走査線のうちの偶数番目の走査線に接続され、電圧が前記第１補助信号とは相補的に変動する第２補助信号を供給する第２補助信号供給線とからなることを特徴としている。
また、本発明の電気光学装置の駆動回路は、前記第２トランジスターが、ダイオード接続されたトランジスターであることを特徴としている。
また、本発明の電気光学装置の駆動回路は、前記第３トランジスターが、前記容量成分の電極間を短絡又は開放するように前記容量成分に対して接続されていることを特徴としている。
また、本発明の電気光学装置の駆動回路は、前記第２トランジスターに接続されて、前記第１トランジスターをオン状態に設定するとともに前記容量成分を充電するための電圧を供給する第１電圧供給線と、前記第３トランジスターに接続されて、前記容量成分を放電して前記第１トランジスターをオフ状態にするための電圧を供給する第２電圧供給線とを備えることを特徴としている。
また、本発明の電気光学装置の駆動回路は、前記第１，第２，第３トランジスター及び前記容量成分は、前記電気光学装置に形成されていることを特徴としている。
本発明の電気光学装置は、複数行の走査線と、複数列のデータ線と、当該走査線とデータ線との交差位置の各々に対応して設けられた複数の画素とを備える電気光学装置において、前記複数行の走査線の少なくとも一端側に設けられ、前記複数行の走査線を所定の順番で選択して走査信号を印加する走査線主駆動回路と、前記複数行の走査線の一端側及び他端側の少なくとも一方に設けられ、前記走査線主駆動回路によって前記複数行の走査線のうちの一の走査線が選択される前後に選択される他の走査線に印加される走査信号によって動作し、前記走査線主駆動回路によって前記一の走査線が選択されて前記走査信号が印加される期間に、前記走査信号を整形するための補助信号を前記一の走査線に印加する走査線補助駆動回路とを備えることを特徴としている。
この発明によると、走査線主駆動回路によって複数行の走査線のうちの一の走査線に対して走査信号が印加されると、上記の一の走査線が選択される前後に選択される他の走査線に印加される走査信号によって動作する走査線補助駆動回路によって、走査信号を整形するための補助信号が上記の一の走査線に印加される。これにより、画素の明るさのばらつきやクロストークの発生が防止され、高い表示品位を実現することができる。また、走査線補助駆動回路は、一の走査線が選択される前後に選択される他の走査線に印加される走査信号によって動作するため、上記の高い表示品位を安価に実現することができる。
本発明の電子機器は、上記の電気光学装置を備えることを特徴としている。
【図面の簡単な説明】
【００１０】
【図１】本発明の一実施形態による電気光学装置及びその駆動回路の要部構成を示すブロック図である。
【図２】走査線補助駆動回路５０の要部構成を示す回路図である。
【図３】走査線補助駆動回路５０の動作を説明するためのタイミングチャートである。
【図４】走査線補助駆動回路５０の第１変形例を示す回路図である。
【図５】走査線補助駆動回路５０の第２変形例を示す回路図である。
【図６】電気光学装置の第１変形例を示すブロック図である。
【図７】電気光学装置の第２変形例を示すブロック図である。
【図８】本発明の実施形態による電気光学装置を萎える携帯電話機１００の外観を示す斜視図である。
【発明を実施するための形態】
【００１１】
以下、図面を参照して本発明の一実施形態による電気光学装置の駆動回路、電気光学装置、及び電子機器について詳細に説明する。尚、以下に説明する実施形態は、本発明の一部の態様を示すものであり、本発明を限定するものではなく、本発明の技術的思想の範囲内で任意に変更可能である。
【００１２】
図１は、本発明の一実施形態による電気光学装置及びその駆動回路の要部構成を示すブロック図である。尚、以下では、電気光学装置として液晶装置を例に挙げて説明を進める。図１に示す通り、本実施形態の電気光学装置１は、液晶パネル１０、制御回路２０、データ線駆動回路３０、走査線主駆動回路４０、及び走査線補助駆動回路５０を備えており、制御回路２０の制御の下でデータ線駆動回路３０、走査線主駆動回路４０、及び走査線補助駆動回路５０が液晶パネル１０を駆動する。
【００１３】
液晶パネル１０には、Ｙ方向に延びる複数のデータ線Ｘ１〜Ｘｍ（ｍは２以上の整数）がＸ方向に配列されているとともに、Ｘ方向に延びる複数の走査線Ｙ１〜Ｙｎ（ｎは２以上の整数）がＹ方向に配列されている。これらデータ線Ｘ１〜Ｘｍと走査線Ｙ１〜Ｙｎとが交差する交差位置の各々に対応して、複数の画素Ｇが形成されている。ここで、画素Ｇの各々には、液晶容量１１とスイッチング素子の一例であるＴＦＴ（Thin Film Transistor：薄膜トランジスター）１２とが設けられている。
【００１４】
液晶容量１１は、ＴＦＴ１２のドレイン電極が接続される矩形状の画素電極と対向電極との間に、電気光学物質の一例たる液晶を挟持した構造である。ＴＦＴ１２は、ゲート電極が走査線に接続されるとともにソース電極がデータ線に接続され、ドレイン電極が液晶容量１１の画素電極に接続されている。走査線に印加される選択電圧によってＴＦＴ１２がオン状態になり、データ線から供給されるデータ信号がＴＦＴ１２を介して画素電極に供給され、これにより画素Ｇの光学的状態が変化する。尚、液晶パネル１０は電圧無印加状態において白表示をするノーマリーホワイトモードであるとする。
【００１５】
制御回路２０は、データ線駆動回路３０及び走査線主駆動回路４０を制御して液晶パネル１０を駆動する。具体的には、データ線駆動回路３０に対してラッチパルスＬＰ、極性指示信号ＰＬ、及びデータクロック信号ＸＣＬＫを出力してデータ線駆動回路３０によるデータ線Ｘ１〜Ｘｍの駆動を制御するとともに、走査線主駆動回路４０に対してスタートパルスＳＴ及び走査クロック信号ＹＣＬＫを出力して線駆動回路３０による走査線Ｙ１〜Ｙｎの駆動（走査）を制御する。
【００１６】
ここで、上記のラッチパルスＬＰは、１水平走査期間の開始時を規定するパルス信号である。また、上記の極性指示信号ＰＬは、液晶容量１１の画素電極の極性を指示する信号である。つまり、極性指示信号ＰＬは、液晶容量１１の画素電極の電位を対向電極の電位よりも高くするか、又は低くするかを指示する信号である。この極性指示信号ＰＬは、液晶容量１１に直流成分が印加されることによる劣化を防止するための信号であって、例えば１水平走査期間毎に極性を反転すべき旨を指示する。また、上記のスタートパルスＳＴは、走査線Ｙ１〜Ｙｎの走査を開始すべき旨を示す信号であって、垂直走査期間の最初に制御回路２０から出力される信号である。更に、上記の走査クロック信号ＹＣＬＫは、走査線Ｙ１〜Ｙｎの走査タイミングの基準となる信号であって、１周期が１水平走査期間である信号である。
【００１７】
データ線駆動回路３０は、制御回路２０から出力されるラッチパルスＬＰ、極性指示信号ＰＬ、及びデータクロック信号ＸＣＬＫに加えて上位のコントローラ（図示省略）から出力される階調データＤを入力としており、データ線Ｘ１〜Ｘｍに対して階調データＤに応じたデータ信号を出力する。尚、上記の階調データＤは、液晶パネル１０に設けられた各画素Ｇの階調値（明るさ）を指定するデータである。
【００１８】
この階調データＤは、例えば６ビットのデータであり、画素Ｇの階調値を十進値の「０」から「６３」までの６４段階で指定可能である。この階調データＤは、例えば、値が「０」（二進値で“００００００”）である場合に最も暗い黒色の表示が指定され、階調データＤの値が増加するにつれて徐々に明るくなるように階調が指定され、値が「６３」（２進値で“１１１１１１”）である場合に最も明るい白色の表示が指定される。
【００１９】
具体的に、データ線駆動回路３０は、データ線Ｘ１〜Ｘｍの数に応じた１行分の階調データＤを一時的に記憶する記憶領域（図示省略）を備えている。そして、走査線主駆動回路４０によってｉ番目（ｉは１≦ｉ≦ｎを満たす整数、ｉ＝ｎ＋１の場合はｉ＝１）の走査線Ｙｉが選択されるとき、ｉ番目の走査線に対応して設けられたｍ個の画素Ｇ分の階調データＤを読み出し、極性指示信号ＰＬで指示される極性を有する信号に変換してデータ線Ｘ１〜Ｘｍにデータ信号として、ラッチパルスＬＰに同期して、一斉に供給する。これとともにラッチパルスＬＰとデータクロック信号ＸＣＬＫに同期して、ｉ＋１番目の行の階調データＤをデータ線駆動回路３０内部の記憶領域に取り込み、次に走査線Ｙｉ＋１が選択される時に備える。
【００２０】
走査線主駆動回路４０は、制御回路２０から出力されるスタートパルスＳＴ及び走査クロック信号ＹＣＬＫを入力としており、これらに基づいて走査線Ｙ１〜Ｙｎを所定の順番で選択して走査信号を順次出力する。尚、走査線Ｙ１〜Ｙｎを選択する順番は任意であり、例えば走査線Ｙ１から走査線Ｙｎに向けて順次選択しても良く、逆に走査線Ｙｎから走査線Ｙ１に向けて順次選択しても良い。本実施形態では、説明を簡単にするために、走査線Ｙ１から走査線Ｙｎに向けて順次選択されるとする。
【００２１】
具体的に、走査線主駆動回路４０は、垂直走査期間の最初に制御回路２０から供給されるスタートパルスＳＴ（例えば「Ｈ（ハイ）」状態）を走査線Ｙ１〜Ｙｎに対応させたシフトレジスタ（図示省略）に走査クロック信号ＹＣＬＫに同期して取り込み、順次シフトしていく。この時、「Ｈ」状態となっているレジスタに対応する走査線を選択された走査線といい、残りの走査線を非選択の走査線といい、選択された走査線には、当該行の画素のＴＦＴ１２をオン状態にする選択電圧を出力し、非選択の走査線には、当該行の画素のＴＦＴ１２をオフ状態にする非選択電圧を出力する。
【００２２】
走査線補助駆動回路５０は、走査線Ｙ１〜Ｙｎに印加される走査信号を整形するための補助信号を走査線Ｙ１〜Ｙｎに印加することで、画素Ｇの明るさのばらつきやクロストークの発生を防止し、電気光学装置１の高い表示品位を実現するための回路である。具体的には、走査線主駆動回路４０によってｉ番目の走査線Ｙｉが選択される前後に選択される他の走査線（ｉ−１番目の走査線Ｙｉ−１及びｉ＋１番目の走査線Ｙｉ＋１）に印加される走査信号によって動作し、ｉ番目の走査線Ｙｉが選択されて走査信号が印加される１水平走査期間内に補助信号を選択されたｉ番目の走査線Ｙｉに印加する。
【００２３】
この走査線補助駆動回路５０は、走査線Ｙ１〜Ｙｎを挟んで走査線主駆動回路４０とは反対側に設けられている。つまり、走査線Ｙ１〜Ｙｎの一端側に走査線主駆動回路４０が設けられ、走査線Ｙ１〜Ｙｎの他端側に走査線補助駆動回路５０が設けられている。また、走査線補助駆動回路５０の各々は、隣接する走査線と電気的に接続されている。例えば、ｉ番目の走査線Ｙｉに設けられた走査線補助駆動回路５０は、ｉ−１番目の走査線Ｙｉ−１とｉ＋１番目の走査線Ｙｉ＋１とに接続されている。尚、図１においては図示を省略しているが、１番目の走査線Ｙ１に設けられた走査線補助駆動回路５０をｎ番目の走査線Ｙｎに接続し、ｎ番目の走査線Ｙｎに設けられた走査線補助駆動回路５０を１番目の走査線Ｙ１に接続しても良い。また、１番目の上、ｎ番目の下に画素を伴わないダミーの走査線（図示省略）を設けて、各々を１番目の走査線Ｙ１に設けられた走査線補助駆動回路５０、ｎ番目の走査線Ｙｎに設けられた走査線補助駆動回路５０に接続しても良い。
【００２４】
図２は、走査線補助駆動回路５０の要部構成を示す回路図である。図２に示す通り、走査線補助駆動回路５０は、トランジスター５１（第１トランジスター）、コンデンサー５２（容量成分）、トランジスター５３（第２トランジスター）、及びトランジスター５４（第３トランジスター）を備える。尚、図１においては図示を省略しているが、図２に示す通り、電気光学装置１には、走査線Ｙ１〜Ｙｎに印加される走査信号を整形するための補助信号を供給する補助信号供給線Ｌ１１，Ｌ１２及びトランジスター５１をオン状態又はオフ状態にするための電圧を供給する電圧供給線Ｌ２１，Ｌ２２が設けられる。
【００２５】
上記の補助信号供給線Ｌ１１（第１補助信号供給線）は奇数番目の走査線（例えば、ｉ−１番目の走査線Ｙｉ−１及びｉ＋１番目の走査線Ｙｉ＋１）に設けられた走査線補助駆動回路５０に接続されており、上記の補助信号供給線Ｌ１２（第２補助信号供給線）は偶数番目の走査線（例えば、ｉ番目の走査線Ｙｉ及びｉ＋２番目の走査線Ｙｉ＋２）に設けられた走査線補助駆動回路５０に接続されている。また、走査線補助駆動回路５０の各々は、電圧供給線Ｌ２１（第１電圧供給線）及び電圧供給線Ｌ２２（第２電圧供給線）の双方が接続されている。
【００２６】
補助信号供給線Ｌ１１を介して供給される補助信号φ１（第１補助信号：図３参照）は、走査線Ｙ１〜Ｙｎが選択される周期（１水平走査期間）の２倍の周期で電圧が変動する信号である。また、補助信号供給線Ｌ１２を介して供給される補助信号φ２（第２補助信号：図３参照）は、電圧が上記の補助信号供給線Ｌ１１を介して供給される補助信号φ１と相補的に変動する信号である。つまり、補助信号供給線Ｌ１１，Ｌ１２を介して供給される補助信号φ１，φ２は、レベルが互いに逆になる信号である。
【００２７】
尚、各走査線に設けられる走査線補助駆動回路５０は同様の構成であるため、ここではｉ番目の走査線に設けられる走査線補助駆動回路５０を例に挙げて説明する。トランジスター５１は、ソース電極が補助信号供給線Ｌ１２に、ドレイン電極が走査線Ｙｉにそれぞれ接続されており、オン状態又はオフ状態になって走査線Ｙｉと補助信号供給線Ｌ１２とを接続又は開放する。トランジスター５１によって走査線Ｙｉと補助信号供給線Ｌ１２とが接続されることによって補助信号供給線Ｌ１２を介して供給される補助信号φ２が走査線Ｙｉに印加され、走査線Ｙｉと補助信号供給線Ｌ１２とが開放されると走査線Ｙｉに対する補助信号φ２の印加が停止される。
【００２８】
トランジスター５１のゲート電極とソース電極との間にはコンデンサー５２が接続されている。このコンデンサー５２は、トランジスター５１のオン状態を維持するために設けられる。つまり、コンデンサー５２が充電されると、トランジスター５１のゲート電極に印加される電圧がゲート閾値電圧以上に維持され、これによりトランジスター５１のオン状態が維持される。このコンデンサー５２は、トランジスター５１とは別に形成される素子（コンデンサー素子）によって実現される。尚、トランジスター５１のオン状態を維持することができる程度の寄生容量がトランジスター５１に存在する場合には、トランジスター５１とは別にコンデンサー素子を形成しなくとも、トランジスター５１の寄生容量でコンデンサー５２を実現することが可能である。
【００２９】
トランジスター５３は、ソース電極が電圧供給線Ｌ２１に、ドレイン電極がトランジスター５１のゲート電極及びコンデンサー５２の一方の電極に、ゲート電極がｉ−１番目の走査線Ｙｉ−１にそれぞれ接続されている。このトランジスター５３は、ｉ−１番目の走査線Ｙｉ−１に印加される走査信号によってオン状態になり、電圧供給線Ｌ２１を介して供給される電圧Ｖ１（トランジスター５１をオン状態にするための電圧）をトランジスター５１のゲート電極及びコンデンサー５２に供給する。尚、電圧供給線Ｌ２１を介して供給される電圧Ｖ１がコンデンサー５２に供給されることによって、トランジスター５１のオン状態が維持される。
【００３０】
トランジスター５４は、ソース電極が電圧供給線Ｌ２２に、ドレイン電極がトランジスター５１のゲート電極、トランジスター５３のドレイン電極、及びコンデンサー５２の一方の電極に、ゲート電極がｉ＋１番目の走査線Ｙｉ＋１にそれぞれ接続されている。このトランジスター５４は、ｉ＋１番目の走査線Ｙｉ＋１に印加される走査信号によってオン状態になり、電圧供給線Ｌ２２を介して供給される電圧Ｖ２（トランジスター５１をオフ状態にするための電圧）をトランジスター５１のゲート電極及びコンデンサー５２に供給する。尚、電圧供給線Ｌ２２を介して供給される電圧Ｖ２が供給されることによって、トランジスター５１がオフ状態になるとともにコンデンサー５２が放電される。
【００３１】
尚、ｉ番目の走査線Ｙｉは偶数番目の走査線であるため、上述した通り、トランジスター５１のソース電極は補助信号供給線Ｌ１２に接続されていた。これは、偶数番目の走査線である他の走査線（ｉ＋２番目の走査線Ｙｉ＋２）についても同様である。これに対し、奇数番目の走査線（例えば、ｉ−１番目の走査線Ｙｉ−１及びｉ＋１番目の走査線Ｙｉ＋１）に設けられた走査線補助駆動回路５０が備えるトランジスター５１のソース電極は、補助信号供給線Ｌ１１に接続されている。
【００３２】
以上説明した走査線補助駆動回路５０に設けられるトランジスター５１，５３，５４は、液晶パネル１０に設けられるＴＦＴ１２と同様の構造にすることができる。また、トランジスター５１の寄生容量によってコンデンサー５２を実現する場合には、コンデンサー５１の形成が不要である。このため、走査線補助駆動回路５０を形成するための新たな工程を設けることなく、ＴＦＴ１２等とともに走査線補助駆動回路５０を液晶パネル１０に形成することができる。これにより、液晶パネル１０の外部に走査線補助駆動回路５０を設ける必要がなくなるため、電気光学装置を安価に製造することができる。
【００３３】
次に、上記構成における電気光学装置１の液晶パネル１０の駆動時における動作について説明する。不図示の上位のコントローラから階調データＤが出力されるとともに、制御回路２０からラッチパルスＬＰ、極性指示信号ＰＬ、スタートパルスＳＴ、走査クロック信号ＹＣＬＫ、及びデータクロック信号ＸＣＬＫが出力されることにより、液晶パネル１０の駆動が開始される。不図示の上位のコントローラから出力された階調データＤは、データ線駆動回路３０に設けられた記憶領域に一時的に記憶される。
【００３４】
制御回路２０から出力されたスタートパルスＳＴ及び走査クロック信号ＹＣＬＫは、走査線主駆動回路４０に入力される。走査線主駆動回路４０は、制御回路２０から出力されるスタートパルスＳＴを走査クロック信号ＹＣＬＫの立ち上がりにて取り込んで順次シフトし、走査線Ｙ１〜Ｙの各選択に対応させる。すると、まず走査線Ｙ１が選択されて選択電圧が印加される。これにより、走査線Ｙ１に接続されたｍ個のＴＦＴ１２がオン状態になる。
【００３５】
また、制御回路２０から出力されたラッチパルスＬＰ、極性指示信号ＰＬ、及びデータクロック信号ＸＣＬＫは、データ線駆動回路３０に入力される。データ線駆動回路３０は、入力されたラッチパルスＬＰに基づいて、１番目の走査線Ｙ１に対応して設けられたｍ個の画素Ｇ分の階調データＤを不図示の記憶領域から読み出し、極性指示信号ＰＬで指示される極性を有する信号に変換してデータ線Ｘ１〜Ｘｍにデータ信号として一斉に供給する。すると、データ線Ｘ１〜Ｘｍを介して供給されるデータ信号が、走査線Ｙ１に接続されたｍ個のＴＦＴ１２の各々を介して、走査線Ｙ１に対応して設けられたｍ個の画素電極に供給される。これにより、走査線Ｙ１に対応して設けられたｍ個の画素の光学的状態が供給されるデータ信号に応じて変化する。
【００３６】
以上の動作が終了すると、走査線主駆動回路４０によって次の走査線Ｙ２が選択されるとともに、データ線駆動回路３０によって２番目の走査線Ｙ２に対応して設けられたｍ個の画素Ｇ分の階調データＤが読み出されてデータ信号が作成されてデータ線Ｘ１〜Ｘｍにデータ信号として一斉に供給される。これにより、走査線Ｙ２に対応して設けられたｍ個の画素の光学的状態が供給されるデータ信号に応じて変化する。以上の動作と同様の動作が繰り返し行われ、他の走査線Ｙ３〜Ｙｎについても順次選択されるとともにデータ信号の供給が行われ、これにより１画面分の階調データＤに応じた画像が液晶パネル１０に表示される。走査線Ｙｎが選択されている間に、上位のコントローラから次の画面分の第１行分の階調データＤが出力された後に、走査線Ｙ１から走査線Ｙｎまでの選択が再度順次行われて、次の画像が液晶パネル１０に表示される。
【００３７】
ここで、以上の動作が行われている間における走査線補助駆動回路５０の動作について詳細に説明する。図３は、走査線補助駆動回路５０の動作を説明するためのタイミングチャートである。尚、ここでは、理解を容易にするために、ｉ番目の走査線Ｙｉに設けられた走査線補助駆動回路５０に着目して説明する。以上の通り、走査線Ｙ１〜Ｙｎが走査線Ｙ１から走査線Ｙｎまで順に選択される場合には、図３に示す通り、期間Ｔｉ−１においてｉ−１番目の走査線Ｙｉ−１に対して走査信号が印加され、続く期間Ｔｉにおいてｉ番目の走査線Ｙｉに対して走査信号が印加され、続く期間Ｔｉ＋１においてｉ＋１番目の走査線Ｙｉ＋１に対して走査信号が印加される。
【００３８】
期間Ｔｉ−１において走査線Ｙｉ−１に走査信号が印加されると、走査線Ｙｉに設けられた走査線補助駆動回路５０が備えるトランジスター５３がオン状態になり、電圧供給線Ｌ２１を介して供給される電圧Ｖ１がトランジスター５１のゲート電極及びコンデンサー５２に供給される。すると、走査線Ｙｉに設けられた走査線補助駆動回路５０が備えるトランジスター５１のゲート電極の電圧（図３中のゲート電圧Ｖｇ）が電圧Ｖ１になり、トランジスター５１がオン状態になる。また、走査線Ｙｉに設けられた走査線補助駆動回路５０が備えるコンデンサー５２が電圧Ｖ１に充電されてトランジスター５１のオン状態が維持される。
【００３９】
トランジスター５１がオン状態になると、走査線Ｙｉと補助信号供給線Ｌ１２とが電気的に接続された状態になり、補助信号供給線Ｌ１２を介して供給される補助信号φ２が走査線Ｙｉに印加される。ここで、図３に示す通り、期間Ｔｉ−１において補助信号供給線Ｌ１２を介して供給される補助信号φ２は「Ｌ（ロー）」レベルであるため、走査線Ｙｉ−１と走査線Ｙｉとが同時に選択されるといった不具合は生じない。
【００４０】
期間Ｔｉ−１が終了して期間Ｔｉに移行すると、走査線Ｙｉに設けられた走査線補助駆動回路５０が備えるトランジスター５３はオフ状態になるが、トランジスター５１のオン状態は維持される。また、期間Ｔｉに移行すると、走査線Ｙｉに走査信号が印加されると同時に、補助信号供給線Ｌ１２を介して供給される補助信号φ２が「Ｈ」レベルになる。すると、「Ｈ」レベルの補助信号φ２がトランジスター５１のドレイン電極から出力されて走査線Ｙｉに印加されることになる（図３中の出力電圧Ｖｄ参照）。これにより、走査線主駆動回路４０によって走査線Ｙｉに印加された走査信号の波形に鈍りが生じていたとしても、その鈍りを整形することができる。尚、図３に示す通り、トランジスター５１のゲート電圧Ｖｇは、補助信号φ２が「Ｈ」レベルになった分だけ電圧Ｖ１よりも上昇する。
【００４１】
期間Ｔｉが終了して期間Ｔｉ＋１に移行すると、走査線Ｙｉ＋１に走査信号が走査信号が印加され、走査線Ｙｉに設けられた走査線補助駆動回路５０が備えるトランジスター５４がオン状態になり、電圧供給線Ｌ２２を介して供給される電圧Ｖ２がトランジスター５１のゲート電極及びコンデンサー５２に供給される。すると、走査線Ｙｉに設けられた走査線補助駆動回路５０が備えるトランジスター５１のゲート電圧Ｖｇが図３に示す通り電圧Ｖ２になり、図３に示す通り、トランジスター５１はオフ状態になってハイインピーダンス状態になる。これと同時に、走査線Ｙｉに設けられた走査線補助駆動回路５０が備えるコンデンサー５２は放電される。これにより、走査線Ｙｉと補助信号供給線Ｌ１２との接続が開放され、走査線Ｙｉに対する補助信号φ２の印加が停止される。
【００４２】
走査線Ｙｉに設けられた走査線補助駆動回路５０以外の他の走査線に設けられた走査線補助駆動回路５０においても、以上の動作と同様の動作がそれぞれ行われる。このため、走査線主駆動回路４０によって走査線Ｙ１〜Ｙｎに印加された走査信号の鈍りを整形することができ、これにより高い表示品位を実現することができる。
【００４３】
以上説明した通り、本実施形態では、ある走査線（例えば、走査線Ｙｉ）が選択される前後に選択される走査線（例えば、走査線Ｙｉ−１，Ｙｉ＋１）に印加される走査信号によって動作し、その走査線（例えば、走査線Ｙｉ）に走査信号が印加される期間に走査信号を整形するための補助信号をその走査線（例えば、走査線Ｙｉ）に印加する走査線補助駆動回路５０を走査線毎に設けている。これにより、従来の電気光学装置のように微分回路や論理回路等を備える必要が無いため、安価に高い表示品位を実現することができる。
【００４４】
図４は、走査線補助駆動回路５０の第１変形例を示す回路図である。図４に示す通り、本変形例の走査線補助駆動回路５０は、ダイオード接続されたトランジスター５３を備える構成である。かかる構成にすることで、トランジスター５１をオン状態にするための電圧Ｖ１を供給する電圧供給線Ｌ２１が省略されている。走査線補助駆動回路５０の各々に設けられたトランジスター５３は、ソース電極とゲート電極とが短絡されてダイオード接続とされている。
【００４５】
走査線補助駆動回路５０が図２に示す構成である場合には、電圧供給線Ｌ２１，Ｌ２２によって供給する電圧Ｖ１，Ｖ２の電圧を変えることによって、走査線主駆動回路４０による走査線Ｙ１〜Ｙｎの走査方向が走査線Ｙ１から走査線Ｙｎに向かう方向、及び走査線Ｙｎから走査線Ｙ１に向かう方向の何れであっても対応することができる。これに対し、走査線補助駆動回路５０が図４に示す構成である場合には、走査線Ｙ１〜Ｙｎの走査方向が何れか一方の方向に制限されるものの、電圧供給線Ｌ２１を省略することができる。
【００４６】
図５は、走査線補助駆動回路５０の第２変形例を示す回路図である。図５に示す通り、本変形例の走査線補助駆動回路５０は、上記の第１変形例と同様にダイオード接続されたトランジスター５３を備え、トランジスター５４のソース電極をコンデンサー５２の他方の電極に接続した構成である。かかる構成にすることで、トランジスター５１をオフ状態にするための電圧Ｖ２を供給する電圧供給線Ｌ２２も省略されている。尚、トランジスター５４のドレイン電極はコンデンサー５２の一方の電極に接続されているため、トランジスター５４をオン状態又はオフ状態にすることで、コンデンサー５２の電極間は短絡又は開放される。
【００４７】
本変形例においても、上述した第１変形例と同様に、走査線Ｙ１〜Ｙｎの走査方向が走査線Ｙ１から走査線Ｙｎに向かう方向、及び走査線Ｙｎから走査線Ｙ１に向かう方向の何れか一方の方向に制限される。しかしながら、本変形例では、上位の電圧供給線Ｌ２１に加えて電圧供給線Ｌ２２も省略することができる。尚、以上説明した第１，第２変形例においても、ＴＦＴ１２等とともに走査線補助駆動回路５０を液晶パネル１０に形成することが可能である。
【００４８】
図６は、電気光学装置の第１変形例を示すブロック図である。図６に示す通り、本変形例の電気光学装置２は、走査線Ｙ１〜Ｙｎの一端側に配置されて奇数番目の走査線（Ｙ１、Ｙ３，…）に接続された走査線主駆動回路４０ａと、走査線Ｙ１〜Ｙｎの他端側に配置されて偶数番目の走査線（Ｙ２，Ｙ４，…）に接続された走査線主駆動回路４０ｂとを備える。尚、図６においては、図示を簡単化するために、制御回路２０及びデータ線駆動回路３０、及び補助信号供給線Ｌ１１，Ｌ１２等の図示を省略している。
【００４９】
また、本変形例の電気光学装置２は、図１に示す電気光学装置１と同様に、走査線Ｙ１〜Ｙｎの各々に走査線補助駆動回路５０を備えるものの、奇数番目の走査線に設けられた走査線補助駆動回路５０は走査線の他端側に配置され、偶数番目の走査線に設けられた走査線補助駆動回路５０は走査線の一端側に配置されている。尚、図２に示す補助信号供給線Ｌ１１，Ｌ１２、更には電圧供給線Ｌ２１，Ｌ２２は、走査線Ｙ１〜Ｙｎの一端側及び他端側にそれぞれ設けられている。
【００５０】
以上の構成の電気光学装置２の動作は、走査線Ｙ１〜Ｙｎが２つの走査線主駆動回路４０ａ，４０ｂによって選択される点を除いては、基本的には図１に示す電気光学装置１の動作と同様であり、走査線Ｙ１〜Ｙｎの各々において走査線補助駆動回路５０によって補助信号が印加される。本変形例の電気光学装置２は、走査線Ｙ１〜Ｙｎの間隔が狭く、図１に示す電気光学装置１のように、走査線Ｙ１〜Ｙｎの他端側にのみ走査線補助駆動回路５０を形成するのが困難な場合に好適である。
【００５１】
図７は、電気光学装置の第２変形例を示すブロック図である。図７（ａ）に示す電気光学装置３は、走査線Ｙ１〜Ｙｎの各々について、他端側のみならず一端側にも走査線補助駆動回路５０が設けられている点が図１に示す電気光学装置１とは相違する。この電気光学装置３は、図６に示す電気光学装置２と同様に、図２に示す補助信号供給線Ｌ１１，Ｌ１２、更には電圧供給線Ｌ２１，Ｌ２２が、走査線Ｙ１〜Ｙｎの一端側及び他端側にそれぞれ設けられている。
【００５２】
尚、図７においては、図示を簡単化するために、制御回路２０及びデータ線駆動回路３０、補助信号供給線Ｌ１１，Ｌ１２等、及び走査線補助駆動回路５０と隣接する走査線とを接続する接続線の図示を省略している。以上の構成にすることで、走査線主駆動回路４０の出力抵抗が高くても良くなるため、走査線主駆動回路４０の回路規模を小さくすることができる。走査線主駆動回路４０の回路規模を小さくするだけであれば、図７（ｂ）に示す電気光学装置４のように、走査線Ｙ１〜Ｙｎの他端側における走査線補助駆動回路５０及び電圧供給線Ｌ２１，Ｌ２２等が省略された構成にすることも可能である。
【００５３】
以上、本発明の実施形態による電気光学装置及びその駆動回路について説明したが、本発明は上述した実施形態に制限されることなく、本発明の範囲内で自由に変更が可能である。例えば、上記実施形態では、液晶パネル１０が電圧無印加状態において白表示をするノーマリーホワイトモードであるとしたが、電圧無印加状態において黒色を表示するノーマリーブラックモードであっても良い。尚、階調数は「６４」に限らず、これによりも低階調表示としても良いし、これよりも高階調表示としても良い。更に、Ｒ（赤）、Ｇ（緑）、Ｂ（青）の３画素で１ドットを構成して、カラー表示を行うとしても良い。
【００５４】
液晶パネル１０は透過型に限られず、反射型や、両者の中間的な半透過半反射型であっても良い。また、本実施形態では、ＴＦＴ１２のようなスイッチング素子で画素電極を駆動するアクティブマトリクス方式として説明したが、パッシブマトリクス方式のものでも走査信号の波形鈍りが同様に生ずるため、パッシブマトリクス方式のものにも適用可能である。また、ＴＦＴ１２は、スイッチング素子の一例であって、ＺｎＯ（酸化亜鉛）バリスタや、ＭＳＩ（Metal Semi-Insulator）等を用いた素子のほか、これら素子を２つ逆向きに直列接続又は並列接続したもの、或いはＴＦＤ（Thin Film Diode：薄膜ダイオード）等の二端子型スイッチング素子をＴＦＴ１２に代えて用いても良い。
【００５５】
また、液晶パネル１０の液晶としては、ＴＮ型の液晶、ＳＴＮ型の液晶、或いは分子の長軸方向と短軸方向とで可視光の吸収に異方性を有する染料（ゲスト）を一定の分子配列の液晶（ホスト）に溶解して染料分子を液晶分子と平行に配列させたゲストホスト型等の液晶を用いても良い。加えて、電圧無印加時には液晶分子が両基板に対して垂直方向に配列する一方、電圧印加時には液晶分子が両基板に対して水平方向に配列する、という垂直配向（ホメオトロピック配向）の構成としても良いし、電圧無印加時には液晶分子が両基板に対して水平方向に配列する一方、電圧印加時には液晶分子が両基板に対して垂直方向に配列する、という平行（水平）配向（ホモジニアス配向）の構成としても良い。
【００５６】
更に、本発明の電気光学装置は、液晶装置に限られるものではなく、他の電気光学装置、例えば有機ＥＬ装置、無機ＥＬ装置、プラズマディスプレイ装置、電気泳動ディスプレイ装置、フィールド・エミッション・ディスプレイ装置、ＬＥＤ、電子ペーパー（代表的には電気泳動素子を用いたものがある）等に適用することができる。このように、本発明の駆動方法に適合するものであれば、様々な電気光学素子を用いることが可能である。また、アクテイブマトリクスで構成された２次元のセンサにも用いることができる。
【００５７】
次に、上述した実施形態に係る電気光学装置を表示装置として備える電子機器について説明する。図８は、本発明の実施形態による電気光学装置を萎える携帯電話機１００の外観を示す斜視図である。図８に示す通り、携帯電話機１００は、複数の操作ボタン１０１のほか、受話口１０２、送話口１０３とともに、上述した液晶パネル１０を表示装置１０４として備える。尚、電気光学装置のうち、液晶パネル１０以外の構成要素については携帯電話機１００に内蔵されるため、携帯電話機１００の外観には現れない。
【００５８】
尚、電気光学装置が適用される電子機器としては、図８に示す携帯電話機１００以外に、デジタルスチルカメラ、ノートパソコン、液晶テレビ、ビューファインダ型（またはモニタ直視型）のビデオレコーダ、カーナビゲーション装置、ページャ、電子手帳、電卓、ワードプロセッサ、ワークステーション、テレビ電話、ＰＯＳ端末、タッチパネルを備えた機器等などが挙げられる。そして、これらの各種電子機器の表示装置として、上述した電気光学装置が適用可能であることは言うまでもない。そして、何れの電子機器においても、走査信号の波形鈍りを整形することによって、表示品位の低下を抑えて高品位の表示が簡易な構成によって実現されることになる。
【符号の説明】
【００５９】
１〜４…電気光学装置、４０…走査線主駆動回路、５０…走査線補助駆動回路、５１…トランジスター、５２…コンデンサー、５３，５４…トランジスター、Ｌ１１，Ｌ１２…補助信号供給線、Ｌ２１，Ｌ２２…電圧供給線、Ｇ…画素、Ｖ１，Ｖ２…電圧、Ｘ１〜Ｘｍ…データ線、Ｙ１〜Ｙｎ…走査線、φ１，φ２…補助信号
【図１】
2010224438.tif 000003
【図２】
2010224438.tif 000004
【図３】
2010224438.tif 000005
【図４】
2010224438.tif 000006
【図５】
2010224438.tif 000007
【図６】
2010224438.tif 000008
【図７】
2010224438.tif 000009
【図８】
2010224438.tif 000010